(57)【特許請求の範囲】
【請求項１】
ジメチルアミン、ジメチルアンモニウムイオン、ギ酸及びギ酸イオンからなる群から選ばれた少なくとも一種の有機化合物並びにＮ，Ｎ−ジメチルホルムアミドを含有する廃水の化学的酸素要求量と全窒素濃度とを低減させる処理方法であって、
該廃水中の有機化合物濃度を予め０．０５重量％以下となるように調整した後、溶媒抽出を実施して、廃水からＮ，Ｎ−ジメチルホルムアミドを除去することを特徴とする、Ｎ，Ｎ−ジメチルホルムアミド含有廃水の化学的酸素要求量と全窒素濃度とを低減させる処理方法。
【請求項２】
有機化合物濃度の調整を、廃水を陽イオン交換樹脂及び／又は陰イオン交換樹脂で処理することによって行う、請求項１記載の処理方法。
【請求項３】
廃水が、さらに無機物イオンを含有する、請求項１記載の処理方法。
【請求項４】
溶媒抽出に用いる溶媒が、有機酸エステル、ケトン及び有機ハロゲン化物からなる群から選ばれた少なくとも一種の有機溶媒である、請求項１記載の処理方法。
【請求項５】
廃水から除去したＮ，Ｎ−ジメチルホルムアミドを溶媒から回収し再利用する、請求項１記載の処理方法。
【発明の詳細な説明】
【０００１】
【発明の属する技術分野】
本発明は、溶剤や反応溶媒等に広く用いられているＮ，Ｎ−ジメチルホルムアミドを含む廃水を処理し、Ｎ，Ｎ−ジメチルホルムアミドを回収し、Ｎ，Ｎ−ジメチルホルムアミド含有廃水の化学的酸素要求量と全窒素濃度とを低減させる処理方法に関する。
【０００２】
【従来の技術】
Ｎ，Ｎ−ジメチルホルムアミド（以下、ＤＭＦと略記することがある。）は、水に可溶な有機溶媒として、工業的に広く利用されている。ＤＭＦを製造あるいは使用した工程においては、排出される廃水にＤＭＦが含まれる場合があるが、ＤＭＦを含んだ廃水は化学的酸素要求量（以下、ＣＯＤと略記することがある。）及び全窒素濃度が高く、環境汚染防止の観点から何らかの浄化処理を行う必要がある。
【０００３】
一般的な廃水の浄化処理方法としては、微生物に分解を行わせる活性汚泥処理法があるが、ＤＭＦ濃度の変化に対して極めて鋭敏であり管理が難しい上に、ＤＭＦを回収・再利用することができないという欠点がある。
【０００４】
また、ＤＭＦを含有する廃水をそのまま燃焼する処理方法もあるが、一般に廃水中のＤＭＦ濃度は低く、燃焼過程において水分の蒸発に多大なエネルギーを要し経済的でない上に、ＤＭＦを回収することもできず、有利な方法といえない。
【０００５】
さらに、水分を蒸留除去することにより、有機物を廃水より除去すると同時にＤＭＦも回収する方法が知られている。この方法であれば、ＤＭＦの回収はできるものの、やはり水分の蒸発に多大なエネルギーを要し経済的でない。
【０００６】
上記の技術が有する問題点を解消する方法として、水不溶の抽出剤を用いて、廃水中のＤＭＦを抽出し、その後抽出剤とＤＭＦとを蒸留分離することにより、廃水を浄化処理するとともにＤＭＦを回収する方法が知られており、特開昭５３−７７００６号公報には、水溶液中のＤＭＦを置換フェノールにより抽出する方法が開示され、特開昭５５−１４１４５０号公報には、ピロール、アニリン、ペンタノール等を抽出剤として、アルキルアミドを抽出する方法が開示されている。しかしながら、これらの抽出方法を用い、抽出による浄化処理を繰り返しても充分に浄化することができないという問題があった。
【０００７】
【発明が解決しようとする課題】
本発明の目的は、上記従来技術が有していた問題を解決し、Ｎ，Ｎ−ジメチルホルムアミド含有廃水を溶剤抽出法にて処理して、該廃水のＣＯＤ及び全窒素濃度を効果的に低減させる方法を提供することにある。
【０００８】
【課題を解決するための手段】
本発明者らは、上記従来技術に鑑み鋭意検討を重ねた結果、廃水中には、Ｎ，Ｎ−ジメチルホルムアミドの加水分解によって、ジメチルアミン、ジメチルアンモニウムイオン、ギ酸及びギ酸イオンが生じており、これらの存在がＣＯＤ及び全窒素濃度の低減を妨げていたことを見出し、本発明を完成するに至った。
【０００９】
すなわち、本発明の目的は、
ジメチルアミン、ジメチルアンモニウムイオン、ギ酸及びギ酸イオンからなる群から選ばれた少なくとも一種の有機化合物並びにＮ，Ｎ−ジメチルホルムアミドを含有する廃水の化学的酸素要求量と全窒素濃度とを低減させる処理方法であって、該廃水中の有機化合物濃度を予め０．０５重量％以下となるように調整した後、溶媒抽出を実施して、廃水からＮ，Ｎ−ジメチルホルムアミドを除去することを特徴とする、Ｎ，Ｎ−ジメチルホルムアミド含有廃水の化学的酸素要求量と全窒素濃度とを低減させる処理方法によって達成することができる。
【００１０】
【発明の実施の形態】
以下、本発明につき、詳細に説明する。
本発明の処理方法を適用しようとする処理対象廃水は、ＤＭＦと、ジメチルアミン及び／又はギ酸を含有しているものである。ここで、ジメチルアミンは廃水中でジメチルアンモニウムイオン、ギ酸は廃水中でギ酸イオンの形態で存在していてもよい。
【００１１】
これら、ジメチルアミン、ジメチルアンモニウムイオン、ギ酸及びギ酸イオンの合計濃度が０．０５重量％を超える廃水に対して本発明の処理方法を適用すればよく、該濃度が０．０５重量％以下の場合は本発明の処理方法を用いる必要はない。また、処理すべき廃水は、ＤＭＦ、ジメチルアミン、ジメチルアンモニウムイオン、ギ酸及びギ酸イオン以外の有機物及び／又は無機物を含んでいても良い。
【００１２】
本発明の処理方法においては、上記廃水を、ジメチルアミン、ジメチルアンモニウムイオン、ギ酸及びギ酸イオンの合計濃度を０．０５重量％以下となるよう調整することが必要である。この調整によって、続く抽出操作による廃水の浄化効率を上げることが可能になるのである。
【００１３】
ジメチルアミン、ジメチルアンモニウムイオン、ギ酸及びギ酸イオンの合計濃度を予め０．０５重量％以下となるよう調整するには、既知の種々の方法を用いることができるが、該廃水を陽イオン交換樹脂及び／又は陰イオン交換樹脂で処理することによってジメチルアミン、ジメチルアンモニウムイオン、ギ酸及びギ酸イオンを廃水より除去する方法が特に好ましい。
【００１４】
次いで、上記のようにして調整された廃水を、抽出処理して廃水を浄化するとともにＤＭＦを回収する。抽出処理に用いる抽出剤としては、水不溶の有機溶媒ならばいずれも使用できるが、有機酸エステル、ケトン、有機ハロゲン化物からなる群から選ばれた少なくとも一種の有機溶媒を使用することが好ましい。
【００１５】
ここで、抽出処理を行うための抽出装置としては、一般的に抽出処理に用いられる形式、例えばミキサーセトラー型、多孔板型、充填塔型、バッフル型、振動多孔板型、撹拌混合型等をいずれも採用することができる。また回分式、連続式いずれも採用することができる。
【００１６】
また、１回の抽出操作では廃水が環境上の観点から要求されるＣＯＤ及び全窒素濃度までに低減できなかった場合は、適宜抽出操作を繰り返せばよい。
【００１７】
本発明の処理方法における抽出処理に際しての抽出剤の使用量、抽出温度、抽出圧力等は特に制限はなく、浄化効率及びコストを考慮して適宜決定すれば良い。
【００１８】
上記の抽出処理を行い、環境上の観点から決定されるＣＯＤ及び全窒素濃度以下に浄化された処理済み液は、そのまま工程外に排出することができる。
【００１９】
本発明においては、廃水中に含まれていたＤＭＦは抽出処理により抽出剤中に移動するが、このＤＭＦを含む抽出剤からＤＭＦのみを回収するには、例えば蒸留のような既知の方法で可能である。
【００２０】
以下、図面をもって本発明の処理方法の一実施態様を具体的に説明するが本発明はこれにより何等限定を受けるものでは無い。
図１は本発明の処理方法の流れを模式的に示した概略図である。
まず、処理すべき廃水をポンプ（図中１）により送液して陰イオン交換樹脂を充填したジメチルアミン除去槽（図中２）に導入する。次いで陰イオン交換樹脂を充填したギ酸除去槽（図中３）に通じることにより、ジメチルアミン、ジメチルアンモニウムイオン、ギ酸及びギ酸イオンの合計濃度を予め０．０５重量％となるよう調整された廃水を得る。
【００２１】
続いて調整した廃水をポンプ（図中４）により抽出装置（図中５）に導入し、他方、抽出剤を抽出剤タンク（図中１２）からポンプ（図中１３）により（図中５）に供給する。抽出装置（図中５）内部にて廃水と抽出剤とを向流接触させて、廃水を浄化するとともにＤＭＦを抽出剤中に抽出する。
【００２２】
抽出装置（図中５）から抜き出したＤＭＦを含む抽出剤はポンプ（図中６）によりＤＭＦ回収塔（図中７）に送り、抽出剤とＤＭＦとを蒸留分離する。ＤＭＦはＤＭＦ回収塔（図中７）の上部より抜き出され、冷却器（図中８）で凝縮させた後、回収ＤＭＦとして再利用する。一方、抽出剤は回収塔（図中７）の下部より抜き出され、ポンプ（図中９）により冷却器（図中１０）を経由して抽出剤タンク（図中１２）に戻し循環使用する。
一方抽出装置（図中５）から抜き出した浄化された廃水は、ポンプ（図中１１）を経由して排出する。
【００２３】
【実施例】
以下、実施例により本発明の内容をさらに具体的に説明するが本発明はこれにより何等限定を受けるものではない。なお、実施例中の各値は以下の方法に従って求めた。
１）ＣＯＤ（化学的酸素要求量）：
常法に従い、過マンガン酸カリウム酸化滴定法によって求めた。
２）ＤＭＦ濃度及びジメチルアミン濃度：
常法に従って、ガスクロマトグラフィー法（装置：ジーエルサイエンス株式会社製ＧＣ−３８０、カラム：ＴＣ−１７０１）によって求めた。
３）ギ酸濃度：
常法に従って、イオンクロマトグラフィー法（装置：株式会社日立製作所製Ｌ−５０３０）によって求めた。
４）全窒素：
常法に従って、自動窒素測定装置（装置：三菱化学株式会社製ＴＮ−１１０微量全窒素分析装置）によって求めた。
【００２４】
［実施例１］
Ｎ，Ｎ―ジメチルホルムアミド５．０重量％、ジメチルアミン１．０重量％、ギ酸１．０重量％を含む廃水（Ａ）１２０ｇを、陽イオン交換樹脂（ＤＯＷＥＸ５０Ｗ×８  Ｈ型）４０ｇに投入し２時間静置した。静置処理後、廃水を陽イオン交換樹脂と分離した。この処理廃水を廃水（Ｂ）とする。
【００２５】
次いで、廃水（Ｂ）９０ｇを陰イオン交換樹脂（Ａｍｂｅｒｌｉｔｅ  ＩＲ−２１０Ｂ  ＯＨ型）３０ｇに投入し、２時間静置した。静置処理後、廃水を陽イオン交換樹脂と分離した。この処理廃水を廃水（Ｃ）とする。
【００２６】
廃水（Ｃ）のＮ，Ｎ−ジメチルホルムアミドは３．６重量％、ジメチルアミンは０．０１重量％未満、ギ酸は０．０２重量％であり、ジメチルアミン、ジメチルアンモニウムイオン、ギ酸及びギ酸イオンの合計濃度（以下ＤＭＡ＋ＦＡ濃度と略記することがある。）は０．０２重量％であった。
【００２７】
次いで、廃水（Ｃ）のうち５０ｇを分液漏斗に投入し、続いて抽出剤として塩化メチレン（試薬特級）１００ｇを該分液漏斗に投入し、充分振とう後静置し塩化メチレン層を分離した。残った水層に対して上記の塩化メチレン抽出操作をさらに４回繰り返し、計５回の抽出操作後の、水層中のＣＯＤ及び全窒素分を測定した。同様にして、廃水（Ｃ）に対し、抽出剤として塩化メチレンから代えて、表１記載の抽出剤（安息香酸メチル、２−ヘプタノン）を使用して抽出処理を行った。以上の結果を表１に示す。
【００２８】
［実施例２］
実施例１において、陽イオン交換樹脂及び陰イオン交換樹脂に投入し静置する時間を各２時間から変更し、各１時間としたこと以外は、同様の操作を行った。抽出処理を実施する前のイオン交換樹脂処理廃水（Ｃ）のＮ，Ｎ−ジメチルホルムアミドは４．０重量％、ジメチルアミンは０．０２重量％、ギ酸は０．０２重量％であり、ＤＭＡ＋ＦＡ濃度は０．０４重量％であった。結果を表１に示した。
【００２９】
［比較例１］
実施例１において、イオン交換樹脂で処理をする前の廃水（Ａ）をそのまま抽出処理に供したこと以外は同様の操作を行った。結果を表１に示す。充分な廃水の浄化効果を得ることができなかった。
【００３０】
［比較例２］
実施例１において、陽イオン交換樹脂及び陰イオン交換樹脂に投入し静置する時間を各２時間から変更し、各０．５時間としたこと以外は、同様の操作を行った。廃水（Ｃ）のＮ，Ｎ−ジメチルホルムアミドは４．５重量％、ジメチルアミンは０．２２重量％、ギ酸は０．２６重量％であり、ＤＭＡ＋ＦＡ濃度は０．４９重量％であった。結果を表１に示す。
【００３１】
【表１】
0003902069.tif 000002
【００３２】
【発明の効果】
本発明によれば、Ｎ，Ｎ−ジメチルホルムアミド含有廃水を溶剤抽出法にて処理して、該廃水のＣＯＤ及び全窒素濃度を効果的に低減させる方法を提供することができる。
【図面の簡単な説明】
【図１】本発明を実施するための一態様を模式的に示したフロー図である。
【符号の説明】
１  排水送液ポンプ
２  ジメチルアミン除去槽
３  ギ酸除去槽
４  廃水抽出塔送液ポンプ
５  抽出装置
６  ＤＭＦ回収塔送液ポンプ
７  ＤＭＦ回収塔
８  冷却器
９  抽出剤抜き出しポンプ
１０  冷却器
１１  浄化廃水送液ポンプ
１２  抽出剤タンク
１３  抽出剤ポンプ
【図１】
0003902069.tif 000003